(57)【要約】【課題】複数種類の光コネクタプラグを接続することが可能な光コネクタ清掃具用アタッチメントを提供する。【解決手段】一端側の第１の穴に光コネクタ清掃具５の清掃部１１が挿入され、他端側の第２の穴１３に光コネクタプラグ６が挿入されるアタッチメント本体２と、このアタッチメント本体２に連結片３を介して取付けられたＬＣコネクタプラグ用アタッチメント４とを備える。光コネクタプラグ６は、ＭＰＯコネクタプラグ７またはＬＣコネクタプラグ８である。ＬＣコネクタプラグ用アタッチメント４は、アタッチメント本体２の第２の穴１３に嵌合する筒状部３６と、ＬＣコネクタプラグ８のハウジング３１が嵌合する一対のガイド溝４４とを有する。第２の穴１３は、ＭＰＯコネクタプラグ７とＬＣコネクタプラグ用アタッチメント４の筒状部３６とのどちらでも挿入可能である。【選択図】  図１
2019028209.tif 000002
【特許請求の範囲】
【請求項１】
光コネクタ清掃具の清掃布を有する清掃部が挿入される第１の穴が一端側に形成されるとともに、他端側に、光コネクタプラグが挿入され、この光コネクタプラグの先端の被清掃部と前記清掃布とが互いに接触する状態に保持する第２の穴が形成されたアタッチメント本体と、
前記アタッチメント本体に可撓性を有する連結片を介して取付けられたＬＣコネクタプラグ用アタッチメントとを備え、
前記光コネクタプラグは、ＭＰＯコネクタプラグとＬＣコネクタプラグとのうちいずれか一方であり、
前記ＬＣコネクタプラグ用アタッチメントは、
前記アタッチメント本体の前記第２の穴に嵌合して前記第２の穴の中に挿入される筒状部と、
前記筒状部の内壁に設けられ、前記ＬＣコネクタプラグの先端部の角筒状の外壁が嵌合し、前記ＬＣコネクタプラグを挿入方向とは直交する２方向に位置決めする一対の凹溝とを有し、
前記第２の穴は、前記ＭＰＯコネクタプラグと前記ＬＣコネクタプラグ用アタッチメントの前記筒状部とのどちらでも挿入可能な大きさに形成されていることを特徴とする光コネクタ清掃具用アタッチメント。
【請求項２】
請求項１記載の光コネクタ清掃具用アタッチメントにおいて、
前記第２の穴には、
前記ＭＰＯコネクタプラグにおける端面から見て水平方向の両端部に設けられている凹溝と嵌合し、前記ＭＰＯコネクタプラグを挿入方向とは直交する２方向に位置決めする一対の凸部と、
前記ＬＣコネクタプラグ用アタッチメントの前記筒状部が嵌合し、前記ＬＣコネクタプラグ用アタッチメントを挿入方向とは直交する２方向に位置決めする隅部とが設けられていることを特徴とする光コネクタ清掃具用アタッチメント。
【請求項３】
請求項１または請求項２記載の光コネクタ清掃具用アタッチメントにおいて、
前記光コネクタプラグは、ＭＰＯコネクタプラグとＬＣコネクタプラグとの他にＳＣコネクタプラグが含まれ、
前記アタッチメント本体の前記第２の穴は、前記ＬＣコネクタプラグ用アタッチメントの前記筒状部と、前記ＳＣコネクタプラグの先端部の角筒状の外壁とのどちらとも嵌合可能に形成されているとともに、前記ＳＣコネクタプラグを挿入方向とは直交する２方向に位置決めする形状に形成されていることを特徴とする光コネクタ清掃具用アタッチメント。
【請求項４】
請求項２または請求項３記載の光コネクタ清掃具用アタッチメントにおいて、
前記清掃布は、前記ＭＰＯコネクタプラグの前記被清掃部に接触した状態で、前記ＭＰＯコネクタプラグの長手方向およびＭＰＯコネクタプラグの両端部に設けられている一対の凹溝が並ぶ方向とは直交する方向に移動し、
前記凸部は、前記ＭＰＯコネクタプラグの前記凹溝に嵌合する突条によって形成されているとともに、前記第２の穴の奥側に位置する一端が前記第２の穴の開口側に位置する他端より前記清掃布の移動方向の上流側に位置するように傾斜していることを特徴とする光コネクタ清掃具用アタッチメント。
【請求項５】
光コネクタ清掃具の清掃布を有する清掃部が挿入される第１の穴が一端側に形成されるとともに、他端側に、光コネクタプラグが挿入され、この光コネクタプラグの先端の被清掃部と前記清掃布とが互いに接触する状態に保持する第２の穴が形成されたアタッチメント本体と、
前記アタッチメント本体に可撓性を有する連結片を介して取付けられたＬＣコネクタプラグ用アタッチメントとを備え、
前記光コネクタプラグは、ＳＣコネクタプラグとＬＣコネクタプラグとのうちいずれか一方であり、
前記ＬＣコネクタプラグ用アタッチメントは、
前記アタッチメント本体の前記第２の穴に嵌合して前記第２の穴の中に挿入される筒状部と、
前記筒状部の内壁に設けられ、前記ＬＣコネクタプラグの先端部の角筒状の外壁が嵌合し、前記ＬＣコネクタプラグを挿入方向とは直交する２方向に位置決めする一対の凹溝とを有し、
前記第２の穴は、前記ＳＣコネクタプラグの先端部の角筒状の外壁と前記ＬＣコネクタプラグ用アタッチメントの前記筒状部とのどちらでも挿入可能な大きさに形成されていることを特徴とする光コネクタ清掃具用アタッチメント。
【発明の詳細な説明】
【技術分野】
【０００１】
本発明は、光コネクタ清掃具に複数種類の光コネクタプラグを接続する光コネクタ清掃
具用アタッチメントに関する。
【背景技術】
【０００２】
従来、光コネクタプラグの結合端面を清掃するにあたっては、例えば特許文献１に記載されているように、光コネクタ清掃具が用いられている。この光コネクタ清掃具は、テープ状の清掃布で結合端面を擦る構造である。この清掃具によって光コネクタプラグを清掃するためには、光コネクタ清掃具の清掃部にアタッチメントを介して光コネクタプラグを取付けた状態で行う。
アタッチメントの一端部には、光コネクタ清掃具の清掃部が嵌合する第１の穴が形成されている。アタッチメントの他端部には、光コネクタプラグが嵌合する第２の穴が形成されている。
【先行技術文献】
【特許文献】
【０００３】
【特許文献１】特開２００５−１０７２６号公報
【特許文献２】特許第５０４９３５０号
【発明の概要】
【発明が解決しようとする課題】
【０００４】
データセンタで装置間通信の光化が進むとともに、多心型のＭＰＯ光コネクタプラグ付きの光ファイバコードでの接続が増加している。このＭＰＯ光コネクタプラグは特許文献１に記載された光コネクタクリーナにアタッチメントを装着した上で清掃され、伝送装置に接続される。光ファイバコードは単心型のＬＣ、ＳＣ光コネクタプラグ付きの光ファイバコードも従来より使用されており、これらに対応した文献２に記載されるような光コネクタクリーナがそれぞれ別に存在する。これらの光コネクタが混在した場所では、複数の光コネクタクリーナを用意しなければならない問題があった。また、文献２に記載される光コネクタクリーナは清掃糸により光コネクタ端面を清掃する方式であり、光コネクタ端面の全部を清掃するのではなく、中心から光学特性に影響しない範囲のみの清掃であった。光学特性には影響しないものの、汚れが付近に残存しており、着脱を繰り返した際に、影響が出ないとは限らない問題があった。
【０００５】
本発明の目的は、テープ状の清掃布で結合端面を擦る構造の光コネクタ清掃具に装着し、複数種類の光コネクタプラグを接続することが可能で、ＭＰＯ光コネクタの清掃に限らず、単心型の光コネクタプラグ端面の全面清掃を実現する光コネクタ清掃具用アタッチメントを提供することである。
【課題を解決するための手段】
【０００６】
この目的を達成するために、本発明に係る光コネクタプラグ清掃具用アタッチメントは、光コネクタ清掃具の清掃布を有する清掃部が挿入される第１の穴が一端側に形成されるとともに、他端側に、光コネクタプラグが挿入され、この光コネクタプラグの先端の被清掃部と前記清掃布とが互いに接触する状態に保持する第２の穴が形成されたアタッチメント本体と、前記アタッチメント本体に可撓性を有する連結片を介して取付けられたＬＣコネクタプラグ用アタッチメントとを備え、前記光コネクタプラグは、ＭＰＯコネクタプラグとＬＣコネクタプラグとのうちいずれか一方であり、前記ＬＣコネクタプラグ用アタッチメントは、前記アタッチメント本体の前記第２の穴に嵌合して前記第２の穴の中に挿入される筒状部と、前記筒状部の内壁に設けられ、前記ＬＣコネクタプラグの先端部の角筒状の外壁が嵌合し、前記ＬＣコネクタプラグを挿入方向とは直交する２方向に位置決めする一対の凹溝とを有し、前記第２の穴は、前記ＭＰＯコネクタプラグと前記ＬＣコネクタプラグ用アタッチメントの前記筒状部とのどちらでも挿入可能な大きさに形成されている。
【０００７】
本発明は、前記光コネクタ清掃具用アタッチメントにおいて、前記第２の穴には、前記ＭＰＯコネクタプラグにおける端面から見て水平方向の両端部に設けられている凹溝と嵌合し、前記ＭＰＯコネクタプラグを挿入方向とは直交する２方向に位置決めする一対の凸部と、前記ＬＣコネクタプラグ用アタッチメントの前記筒状部が嵌合し、前記ＬＣコネクタプラグ用アタッチメントを挿入方向とは直交する２方向に位置決めする隅部とが設けられていてもよい。
【０００８】
本発明は、前記光コネクタ清掃具用アタッチメントにおいて、前記光コネクタプラグは、ＭＰＯコネクタプラグとＬＣコネクタプラグとの他にＳＣコネクタプラグが含まれ、前記アタッチメント本体の前記第２の穴は、前記ＬＣコネクタプラグ用アタッチメントの前記筒状部と、前記ＳＣコネクタプラグの先端部の角筒状の外壁とのどちらとも嵌合可能に形成されているとともに、前記ＳＣコネクタプラグを挿入方向とは直交する２方向に位置決めする形状に形成されていてもよい。
【０００９】
本発明は、前記光コネクタ清掃具用アタッチメントにおいて、前記清掃布は、前記ＭＰＯコネクタプラグの前記被清掃部に接触した状態で、前記ＭＰＯコネクタプラグの長手方向およびＭＰＯコネクタプラグの両端部に設けられている一対の凹溝が並ぶ方向とは直交する方向に移動し、前記凸部は、前記ＭＰＯコネクタプラグの前記凹溝に嵌合する突条によって形成されているとともに、前記第２の穴の奥側に位置する一端が前記第２の穴の開口側に位置する他端より前記清掃布の移動方向の上流側に位置するように傾斜していてもよい。
【００１０】
本発明に係る光コネクタ清掃具用アタッチメントは、光コネクタ清掃具の清掃布を有する清掃部が挿入される第１の穴が一端側に形成されるとともに、他端側に、光コネクタプラグが挿入され、この光コネクタプラグの先端の被清掃部と前記清掃布とが互いに接触する状態に保持する第２の穴が形成されたアタッチメント本体と、前記アタッチメント本体に可撓性を有する連結片を介して取付けられたＬＣコネクタプラグ用アタッチメントとを備え、前記光コネクタプラグは、ＳＣコネクタプラグとＬＣコネクタプラグとのうちいずれか一方であり、前記ＬＣコネクタプラグ用アタッチメントは、前記アタッチメント本体の前記第２の穴に嵌合して前記第２の穴の中に挿入される筒状部と、前記筒状部の内壁に設けられ、前記ＬＣコネクタプラグの先端部の角筒状の外壁が嵌合し、前記ＬＣコネクタプラグを挿入方向とは直交する２方向に位置決めする一対の凹溝とを有し、前記第２の穴は、前記ＳＣコネクタプラグの先端部の角筒状の外壁と前記ＬＣコネクタプラグ用アタッチメントの前記筒状部とのどちらでも挿入可能な大きさに形成されている。
【発明の効果】
【００１１】
本発明によれば、アタッチメント本体からＬＣコネクタプラグ用アタッチメントが外されている状態でアタッチメント本体の第２の穴にＭＰＯコネクタプラグを接続することにより、ＭＰＯコネクタプラグの被清掃部を光コネクタ清掃具の清掃布によって清掃することができる。一方、アタッチメント本体の第２の穴にＬＣコネクタプラグ用アタッチメントを取付けた状態においては、ＬＣコネクタプラグ用アタッチメントにＬＣコネクタプラグを接続することにより、ＬＣコネクタプラグの被清掃部を光コネクタ清掃具の清掃布によって清掃することができる。
したがって、本発明によれば、ＭＰＯコネクタプラグとＬＣコネクタプラグとを接続することが可能な光コネクタ清掃具用アタッチメントを提供することができる。
【００１２】
また、本発明によれば、アタッチメント本体からＬＣコネクタプラグ用アタッチメントが外されている状態でアタッチメント本体の第２の穴にＳＣコネクタプラグを接続することにより、ＳＣコネクタプラグの被清掃部を光コネクタ清掃具の清掃布によって清掃することができる。一方、アタッチメント本体の第２の穴にＬＣコネクタプラグ用アタッチメントを取付けた状態においては、ＬＣコネクタプラグ用アタッチメントにＬＣコネクタプラグを接続することにより、ＬＣコネクタプラグの被清掃部を光コネクタ清掃具の清掃布によって清掃することができる。
したがって、この発明によれば、ＳＣコネクタプラグとＬＣコネクタプラグとを接続することが可能な光コネクタ清掃具用アタッチメントを提供することができる。
【図面の簡単な説明】
【００１３】
【図１】本発明に係る光コネクタ清掃具用アタッチメントと、清掃具と、光コネクタプラグの斜視図である。
【図２】アタッチメントの斜視図である。
【図３】アタッチメントの斜視図である。
【図４】アタッチメントの平面図である。
【図５】図４におけるV-V線断面図である。
【図６】図４におけるVI-VI線断面図である。
【図７】アタッチメントにＭＰＯコネクタプラグを取付けた状態を示す平面図である。
【図８】アタッチメントにＭＰＯコネクタプラグを取付けた状態を示す側面図である。
【図９】図７におけるIX-IX線断面図である。
【図１０】図８におけるX-X線断面図である。
【図１１】アタッチメントにＬＣコネクタプラグを取付けた状態を示す側面図である。
【図１２】アタッチメントにＬＣコネクタプラグを取付けた状態を示す縦断面図である。
【図１３】図１１におけるXIII-XIII線断面図である。
【図１４】アタッチメントにＳＣコネクタプラグを取付けた状態を示す側面図である。
【図１５】アタッチメントにＳＣコネクタプラグを取付けた状態を示す縦断面図である。
【図１６】図１４におけるアタッチメント本体とＳＣコネクタプラグのXVI-XVI線断面図である。
【図１７】アタッチメントにＭＰＯコネクタプラグを取付けた状態を示す斜視図である。
【図１８】アタッチメントにＬＣコネクタプラグを取付けた状態を示す斜視図である。
【図１９】アタッチメントにＭＣコネクタプラグを取付けた状態を示す斜視図である。
【図２０】雌型のＭＰＯコネクタプラグの斜視図である。
【図２１】傾斜角度０度で正立状態の場合のＭＰＯコネクタと清掃布との接触部分を拡大して示す模式図である。
【図２２】傾斜角度０度で正立状態の場合の清掃時の状態を示す模式図である。
【図２３】傾斜角度０度で倒立状態の場合のＭＰＯコネクタと清掃布との接触部分を拡大して示す模式図である。
【図２４】傾斜角度０度で倒立状態の場合の清掃時の状態を示す模式図である。
【図２５】傾斜角度１〜４度で正立状態の場合のＭＰＯコネクタと清掃布との接触部分を拡大して示す模式図である。
【図２６】傾斜角度１〜４度で正立状態の場合の清掃時の状態を示す模式図である。
【図２７】傾斜角度１〜４度で倒立状態の場合のＭＰＯコネクタと清掃布との接触部分を拡大して示す模式図である。
【図２８】傾斜角度１〜４度で倒立状態の場合の清掃時の状態を示す模式図である。
【図２９】傾斜角度６度で正立状態の場合のＭＰＯコネクタと清掃布との接触部分を拡大して示す模式図である。
【図３０】傾斜角度６度で正立状態の場合の清掃時の状態を示す模式図である。
【図３１】傾斜角度６度で倒立状態の場合のＭＰＯコネクタと清掃布との接触部分を拡大して示す模式図である。
【図３２】傾斜角度６度で倒立状態の場合の清掃時の状態を示す模式図である。
【発明を実施するための形態】
【００１４】
以下、本発明に係る光コネクタ清掃具用アタッチメントの一実施の形態を図１〜図２３を参照して詳細に説明する。
図１に示すアタッチメント１は、角筒状に形成されたアタッチメント本体２と、このアタッチメント本体２の一側部に連結片３を介して取付けられたＬＣコネクタプラグ用アタッチメント４とによって構成されている。このアタッチメント１は、光コネクタ清掃具５に光コネクタプラグ６を接続するために使用される。光コネクタプラグ６は、詳細は後述するが、ＭＰＯコネクタプラグ７と、ＬＣコネクタプラグ８と、ＳＣコネクタプラグ９などである。
【００１５】
アタッチメント本体２の一端部（図１においては右上側の端部）には、光コネクタ清掃具５の清掃部１１が挿入される第１の穴１２（図６参照）が形成され、他端部には第２の穴１３が形成されている。以下においては、便宜上、アタッチメント本体２の他端部から一端部を通って清掃具５を指向する方向を前方向とし、清掃具５からアタッチメント本体２の一端部を通って他端部を指向する方向を後方向として説明する。また、この実施の形態においては、図１において上側を上方とし、図１において下側を下方とし、前後方向および上下方向と直交する水平方向を左右方向として説明する。
アタッチメント本体２の第１の穴１２は、光コネクタ清掃具５の清掃部１１が着脱自在に嵌合し、清掃部１１を後方への移動が規制される状態で上下方向と左右方向とに位置決めする形状に形成されている。
【００１６】
＜清掃具の説明＞
光コネクタ清掃具５は、筐体１４と、この筐体１４のノーズ部１４ａから突出した清掃部１１と、筐体１４内に設けられた清掃布供給装置（図示せず）などを有している。筐体１４は、作業者（図示せず）によって把持される把持部１４ｂと、この把持部１４ｂの一端（この実施の形態では後端）から突出する角筒状のノーズ部１４ａとを有している。
【００１７】
清掃部１１は、ノーズ部１４ａ内に一部が収容された状態でノーズ部１４ａに前後方向へ移動自在に支持されている。清掃部１１の後端部分には清掃布１５が露出している。清掃布１５は、細帯状の清掃用テープである。この清掃布１５は、図示してはいないが、筐体１４内の供給用リールから引き出され、清掃部１１の後端部分の清掃ヘッド１１ａに接触しながら折り返されて筐体１４内の巻き取りリールに巻取られている。
【００１８】
清掃布１５は、清掃ヘッド１１ａの平坦面に沿って折り返される。清掃布１５が平坦面に沿うことによって、平坦な清掃面１５ａが生じる。光コネクタプラグ６は、この清掃面１５ａに接触して清掃される。清掃ヘッド１１ａは、例えばゴムなどの可撓性を有する材料によって形成されている。このため、清掃面１５ａは、光コネクタプラグ６の被清掃面６ａが押し付けられることによって、被清掃面６ａに沿うように傾斜する。
【００１９】
清掃布供給装置は、清掃部１１が図１に示す突出位置からノーズ部１４ａ内に押し込まれることにより清掃布１５を供給用リールから所定の長さだけ引出し、余剰の清掃布１５を巻き取りリールに巻き付ける。清掃布１５は、清掃部１１の下側を後端に向けて移動し、後端で図１中に矢印で示すように下から上に移動して折り返し、清掃部１１の上側を通って巻き取りリールに向けて移動する。
【００２０】
＜アタッチメントの概略の説明＞  
アタッチメント本体２の第１の穴１２は、アタッチメント本体２の上部と清掃部１１の上部とが重なる状態でのみ清掃部１１の挿入を許容するストッパー１２ａ（図６参照）を有している。
アタッチメント本体２の第２の穴１３は、ＭＰＯコネクタプラグ７と、ＬＣコネクタプラグ８と、ＳＣコネクタプラグ９との３種類の光コネクタプラグ６が挿入される。ＭＰＯコネクタプラグ７とＳＣコネクタプラグ９は第２の穴１３に直接挿入される。一方、ＬＣコネクタプラグ８は、後述するＬＣコネクタプラグ用アタッチメント４を介して第２の穴１３に挿入される。第２の穴１３は、詳細は後述するが、光コネクタプラグ６を先端の被清掃面６ａ（結合端面）と清掃布１５とが互いに接触する状態に保持する保持構造１６を有している。
【００２１】
＜ＭＰＯコネクタプラグの説明＞
ＭＰＯコネクタプラグ７は、雄型と雌型の2種類がある。雄型は、図１に示すように、フェルール２１の左右方向の両端部に２本のガイドピン２２が立設されている。雌型は、図２０に示すように、フェルール２１の左右方向の両端部にガイドホール２３が形成されている。これらのガイドピン２２ないしガイドホール２３どうしの間に複数の光ファイバ７ａが設けられている。ＭＰＯコネクタプラグ７の被清掃部は、フェルール２１の先端面における、２本のガイドピン２２どうしの間や２つのガイドホール２３どうしの間で複数の光ファイバ７ａが露出する部分である。
【００２２】
ＭＰＯコネクタプラグ７は、フェルール２１の先端面がＭＰＯコネクタプラグ７の長手方向とは直交する方向に延びるものと、フェルール２１の先端面が所定の角度で傾斜したものとで２種類ある。この実施の形態で示すＭＰＯコネクタプラグ７は、図９および図２１に示すように、フェルール２１の先端面２１ａが傾斜しているものである。図９と図２１は、構成を理解し易くするために光ファイバ７ａを省略して描いてある。
先端面２１ａは、ＭＰＯコネクタプラグ７の長手方向とは直交する方向に対してＡ度（図２１参照）だけ傾斜している。この角度Ａは、一般的には８度である。
【００２３】
また、ＭＰＯコネクタプラグ７における、フェルール２１を覆うハウジング２４の両端部、すなわち２本のガイドピン２２が並ぶ方向の両端部（ＭＰＯコネクタプラグ７におけるフェルール２１の先端面から見て水平方向の両端部）には、図１および図１０に示すように、凹溝２５がそれぞれ形成されている。これらの凹溝２５は、ＭＰＯコネクタプラグ７の長手方向と平行にハウジング２４の先端から段部２６に向けて所定の長さに形成されている。段部２６は、先端側の外形より他端側の外形の方が段差をもって大きくなる形状に形成されている。
【００２４】
この段部２６は、ＭＰＯコネクタプラグ７をアタッチメント本体２の第２の穴１３に挿入したときにアタッチメント本体２の後端面２７（図２参照）に当接する。このため、ＭＰＯコネクタプラグ７は、図９および図１７に示すように、段部２６がアタッチメント本体２の後端面２７に当接するまで第２の穴１３内に挿入される。段部２６がアタッチメント本体２に当接することによってＭＰＯコネクタプラグ７がアタッチメント本体２に対して長手方向（前後方向）の所定の位置に位置決めされる。この所定の位置とは、ＭＰＯコネクタプラグ７のフェルール２１の先端面２１ａが清掃に適した押圧力で清掃布１５に押しつけられるような位置である。
【００２５】
＜ＬＣコネクタプラグの説明＞
ＬＣコネクタプラグ８は、図１に示すように、角筒状のハウジング３１と、このハウジング３１の中心部に収容された円柱状のフェルール３２とを備えている。このフェルール３２の先端面には、光ファイバ３３が露出している。ＬＣコネクタプラグ８の被清掃部は、フェルール３２の先端面である。ハウジングの一側部には、係止解除用のレバー３４が設けられている。この実施の形態においては、ハウジング３１が本発明でいうＬＣコネクタプラグの「角筒状の外壁」に相当する。
【００２６】
＜ＬＣコネクタプラグ用アタッチメントの説明＞
ここで、ＬＣコネクタプラグ８をアタッチメント本体２に接続する際に使用するＬＣコネクタプラグ用アタッチメント４の構成を説明する。ＬＣコネクタプラグ用アタッチメント４は、図２および図３に示すように、アタッチメント本体２に連結片３を介して接続されたフランジ部３５と、このフランジ部３５から突出した筒状部３６と、フランジ部３５にヒンジ３７を介して接続された蓋部３８とによって構成されている。アタッチメント本体２と、連結片３と、ＬＣコネクタプラグ８とは、プラスチック材料を使用して一体成型によって一体に形成されている。連結片３は、曲がり易いように細い帯状に形成されている。
【００２７】
フランジ部３５は、アタッチメント本体２の後端に段差なく重ねることが可能な四角形の板状に形成されている。このフランジ部３５の中央部には、図３に示すように、差し込み口４１が形成されている。差し込み口４１は、ＬＣコネクタプラグ８の先端部より大きく開口している。差し込み口４１の開口形状は、上下方向より左右方向が長い長方形である。この差し込み口４１は、筒状部３６の内部空間に接続されている。差し込み口４１の下部と上部には、後述する蓋部３８と嵌合する突条４２，４３が形成されている。
【００２８】
また、差し込み口４１の下部と上部には、図３および図１３に示すように、ガイド溝４４，４５（図３には下部のガイド溝４４のみが図示されている）が形成されている。これらのガイド溝４４，４５は、筒状部３６の内壁４６にも形成され、筒状部３６の底壁４７（図２参照）まで延びている。これらのガイド溝４４，４５の溝幅と、ガイド溝４４，４５どうしの間隔は、所定の姿勢とされたＬＣコネクタプラグ８のハウジング３１が嵌合する幅と間隔である。
【００２９】
この所定の姿勢とは、図１８に示すように、係止解除用のレバー３４の先端部が差し込み口４１の一側部に挿入される姿勢である。一対のガイド溝４４，４５にＬＣコネクタプラグ８が嵌合することにより、ＬＣコネクタプラグ８の挿入方向とは直交する２方向（左右方向と上下方向）への移動が規制される。この実施の形態においては、これらの一対のガイド溝４４，４５が本発明でいう「一対の凹溝」に相当する。
【００３０】
筒状部３６は、図２に示すように、角筒４８と上述した底壁４７とを有する有底角筒状に形成されている。角筒４８の左右方向の両端部には、底壁４７からフランジ部３５まで延びる凹溝４９がそれぞれ形成されている。
この実施の形態による筒状部３６の角筒４８は、後述するＳＣコネクタプラグ９のハウジング５１（図１参照）の先端部と同等の形状に形成されている。すなわち、４つの角部５２どうしがＳＣコネクタプラグ９のハウジングの角部５３と同じ間隔で並んでいる。
【００３１】
筒状部３６の底壁４７には貫通孔５４が形成されている。この貫通孔５４は、図１２に示すように、筒状部３６内に形成された円筒５５の中空部に接続されている。この中空部と貫通孔５４は、上述したガイド溝４４，４５にＬＣコネクタプラグ８のハウジング３１が嵌合することによって、フェルール３２が嵌合する。ＬＣコネクタプラグ８のハウジング３１は、ガイド溝４４，４５に沿って筒状部３６内に挿入され、先端が底壁４７に筒状部３６内で当接することによってそれ以上の挿入が規制される。フェルール３２は、ハウジング３１が底壁４７に当接した状態で貫通孔５４を通って底壁４７から所定の長さだけ突出する。この所定の長さは、詳細は後述するが、ＬＣコネクタプラグ用アタッチメント４がアタッチメント本体２の後述する第２の穴１３に挿入された状態でフェルール３２の先端面が清掃布１５に所定の押圧力で接触する長さである。
【００３２】
ＬＣコネクタプラグ用アタッチメント４の蓋部３８は、図３に示すように、板状に形成されており、ヒンジ３７を介してフランジ部３５の下端部に揺動自在に取付けられている。蓋部３８の中央部には凹陥部５６が形成されている。この凹陥部５６は、蓋部３８がヒンジ３７を中心にして揺動し、フランジ部３５と重ねられることによって、フランジ部３５の一対の突条４２，４３が係入する形状に形成されている。凹陥部５６に突条４２，４３が係入することにより、蓋部３８がフランジ部３５に重なる状態で固定され、フランジ部３５の差し込み口４１が蓋部３８によって閉塞される。
【００３３】
＜ＳＣコネクタプラグの説明＞
ＳＣコネクタプラグ９は、図１に示すように、角筒状のハウジング５１と、このハウジング５１の中心部に収容された円柱状のフェルール６１とを備えている。ハウジング５１の先端部は、４つの角部５３と、左右一対の凹溝６２とを有している。
フェルール６１の先端面には、光ファイバ６３が露出している。ＳＣコネクタプラグ９の被清掃部は、フェルール６１の先端面である。この実施の形態においては、ハウジング５１が本発明でいうＳＣコネクタプラグの「角筒状の外壁」に相当する。
【００３４】
＜アタッチメントの第２の穴の説明＞
アタッチメント本体２の第２の穴１３は、ＭＰＯコネクタプラグ７と、ＬＣコネクタプラグ用アタッチメント４の筒状部３６と、ＳＣコネクタプラグ９のどれでも挿入可能な大きさに形成されている。
第２の穴１３の左右方向の両側に位置する一対の側壁７１（図５参照）には、上述した保持構造１６の一部を構成する凸部７２がそれぞれ設けられている。これらの一対の凸部７２，７２は、図６に示すように、アタッチメント本体２の長手方向（前後方向）に対して所定の角度Ｂだけ傾斜して延びる突条によって形成されている。これらの凸部７２は、ＭＰＯコネクタプラグ７のハウジング２４に設けられている一対の凹溝２５と嵌合する形状に形成されている。なお、ＬＣコネクタプラグ用アタッチメント４の筒状部３６の一対の凹溝４９と、ＳＣコネクタプラグ９のハウジング５１の一対の凹溝６２は、凸部７２を遊嵌状態で収容する大きさに形成されている。
【００３５】
ＭＰＯコネクタプラグ７は、図１０に示すように、一対の凹溝２５が凸部７２に嵌合する状態で第２の穴１３に挿入される。この挿入状態において凸部７２は、ＭＰＯコネクタプラグ７をフェルール２１の先端面２１ａが清掃布１５と対接する位置に位置付けるとともに、ＭＰＯコネクタプラグ７の挿入方向とは直交する２方向（左右方向と上下方向）への移動を規制する。すなわち、ＭＰＯコネクタプラグ７は、フェルール２１の先端面２１ａが清掃面１５ａと対接する位置に位置決めされる。
【００３６】
凸部７２が傾斜する方向は、図６に示すように、第２の穴１３の奥側に位置する凸部７２の前端７２ａが第２の穴１３の開口側に位置する凸部７２の後端７２ｂより清掃布１５の移動方向の上流側（図６においては下側）に位置する方向である。
この凸部７２がアタッチメント本体２の長手方向に対して傾斜する角度Ｂは、例えば１〜４度とすることができる。
【００３７】
清掃布１５は、ＭＰＯコネクタプラグ７の被清掃部に接触した状態で、ＭＰＯコネクタプラグ７の長手方向およびアタッチメント本体２の一対の凸部７２が並ぶ方向（左右方向）とは直交する方向（上下方向）に移動する。清掃布１５の移動方向は、図６において、矢印で示すように下から上に向かう方向である。
【００３８】
＜凸部が傾斜している理由の説明＞
ここで、凸部７２が傾斜している理由を説明する。
ＭＰＯコネクタプラグ７には、上述したようにフェルール２１の先端面２１ａ（被清掃部の先端面）が傾斜しているものがある。フェルール２１の先端面２１ａが傾斜する方向は、図２１に示すように、先端面２１ａの上下方向の一端が他端よりＭＰＯコネクタプラグ７の長手方向に突出する方向である。以下においては、図２１に示すように、この突出する一端を前端２１ｂといい、他端を後端２１ｃという。
【００３９】
このように傾斜したフェルール２１の先端面２１ａに光コネクタ清掃具５を押し当てると、図２２に示すように、清掃ヘッド１１ａが弾性変形し、その形状がフェルール２１に倣うように変形する。図２１および図２２は、従来のアタッチメントのように、ＭＰＯコネクタプラグ７の長手方向と、ＭＰＯコネクタプラグ７をアタッチメント本体２に挿入するときの挿入方向とが平行である場合を示している。
先端面２１ａに光コネクタ清掃具５が押し当てられた状態で清掃布１５が先端面２１ａの後端２１ｃ側から前端２１ｂ側に向けて送られることにより、清掃布１５との接触により生じる抵抗でフェルール２１が清掃布１５の移動方向の下流側に向けて僅かに動き、フェルール２１の傾斜角度が変わる。
【００４０】
図２１および図２２に示すように、先端面２１ａの後端２１ｃが清掃布１５の移動方向の上流側に位置している正立状態の場合は、フェルール２１が清掃布１５との接触により生じる抵抗によって動いて傾斜角度が変わったとしても、後端２１ｃがより強く清掃布１５に押しつけられるだけであるから、先端面２１ａを正しく清掃することができる。
一方、図２３に示すように、ＭＰＯコネクタプラグ７を上下方向に反転させてアタッチメント本体２に挿入すると、フェルール２１の先端面２１ａの前端２１ｂが清掃布１５の移動方向の上流側に位置している倒立状態になる。
【００４１】
この倒立状態の場合には、図２４に示すように、フェルール２１が清掃布１５との接触により生じる抵抗で傾斜することによって、先端面２１ａの後端２１ｃが清掃布１５から離れる方向に変位することになる。この場合は、図２４中に二点鎖線Ａで示す範囲、すなわち後端２１ｃ側の部位において、清掃布１５が先端面２１ａに接触できなくなったり、接触したとしても清掃布１５の一部のみでしか清掃を行うことができず、清掃が不十分になる。
このため、ＭＰＯコネクタプラグ７が接続される従来のアタッチメントは、清掃布１５の移動方向に適合する正立状態、すなわち先端面２１ａの後端２１ｃが清掃布１５の移動方向の上流側に位置する状態で、ＭＰＯコネクタプラグ７が接続するように構成されている。
【００４２】
この実施の形態によるアタッチメント本体２は、図２５に示すように、ＭＰＯコネクタプラグ７がアタッチメント本体２の長手方向に対して１〜４度の傾斜角度で傾斜するように構成されている。このアタッチメント本体２にＭＰＯコネクタプラグ７を正立状態として装着すると、ＭＰＯコネクタプラグ７が傾斜していない場合と較べて先端面２１ａの後端２１ｃが清掃布１５から離れることになる。しかし、傾斜角度が１〜４度であると、清掃布１５との接触により生じる抵抗でフェルール２１が傾斜することによって、図２６に示すように、後端２１ｃが清掃布１５に接近して十分に接触する。
【００４３】
また、図２７に示すように、このアタッチメント本体２にＭＰＯコネクタプラグ７を倒立状態として装着すると、ＭＰＯコネクタプラグ７が傾斜していない場合と較べて後端２１ｃが清掃布１５に近付くようになる。このため、図２８に示すように、清掃布１５との接触により生じる抵抗によってフェルール２１が傾いたとしても、先端面２１ａの後端２１ｃが清掃布１５から離れるようなことはなく、先端面２１ａの広範囲な領域を正しく清掃することが可能になる。
【００４４】
ＭＰＯコネクタプラグ７がアタッチメント本体２の長手方向に対して傾斜する角度を６度とした場合は、図２９に示すように、正立状態において先端面２１ａの後端２１ｃが清掃布から過度に離れるようになってしまう。このため、正立状態では、図３０に示すように、清掃布１５との接触により生じる抵抗でフェルール２１が傾斜したとしても、後端２１ｃが清掃布１５に接触できないか、接触したとしても僅かであるから、図３０中に二点鎖線Ｂで示す範囲において清掃が不十分になる。
【００４５】
一方、図３１に示す倒立状態では、ＭＰＯコネクタプラグ７が１〜４度で傾斜する場合と較べて後端２１ｃが清掃布１５に更に近付くようになる。このため、図３２に示すように、清掃布１５との接触により生じる抵抗によってフェルール２１が傾くにも係わらず、先端面２１ａの後端２１ｃが清掃布１５に十分に接触するから、先端面２１ａの全域を正しく清掃することが可能になる。
したがって、ＭＰＯコネクタプラグ７がアタッチメント本体２の長手方向に対して傾斜する角度を１〜４度とすることで、ＭＰＯコネクタプラグ７を正立状態と倒立状態のいずれの状態でも先端面２１ａを正しく清掃することができる。
【００４６】
＜第２の穴の隅部の説明＞
第２の穴１３には、図５に示すように、上述した凸部７２の他に、上述した保持構造１６の一部となる４つの隅部７３が設けられている。これらの隅部７３は、アタッチメント本体２の一対の側壁７１，７１と下壁７４との接続部分と、側壁７１，７１と上壁７５との接続部分とに形成されている。これらの隅部７３は、図１３に示すように、後述するＬＣコネクタプラグ用アタッチメント４の筒状部３６の角部５２や、図１６に示すように、ＳＣコネクタプラグ９のハウジング５１の角部５３と嵌合する形状に形成されている。
【００４７】
また、これらの隅部７３は、ＬＣコネクタプラグ用アタッチメント４が第２の穴１３に挿入された状態において、挿入方向とは直交する２方向（左右方向と上下方向）へのＬＣコネクタプラグ用アタッチメント４の移動を規制する。ＬＣコネクタプラグ用アタッチメント４の筒状部３６のガイド溝４４，４５や貫通孔５４および円筒５５は、このように筒状部３６が第２の穴１３に嵌合した状態でフェルール３２の先端面が清掃布１５と対接するような位置に形成されている。このため、ＬＣコネクタプラグ用アタッチメント４に取付けられたＬＣコネクタプラグ８のフェルール３２は、ＬＣコネクタプラグ用アタッチメント４が第２の穴１３に嵌合することによって、フェルール３２の先端面が清掃布１５と対接する位置に位置決めされる。
【００４８】
さらに、これらの隅部７３は、ＳＣコネクタプラグ９が第２の穴１３に挿入された状態において、ＳＣコネクタプラグ９をフェルール６１の先端面が清掃布１５と対接する位置に位置付けるとともに、挿入方向とは直交する２方向（左右方向と上下方向）への移動を規制する。すなわち、ＳＣコネクタプラグ９は、フェルール６１の先端面が清掃布１５と対接する位置に位置決めされる。
【００４９】
アタッチメント本体２の下壁７４には、図２に示すように、第２の穴１３内に突出する形状のストッパー７６が設けられている。上述した保持構造１６は、このストッパー７６と、上述した凸部７２および隅部７３とによって構成されている。
ストッパー７６は、第２の穴１３の開口部から所定の距離だけ穴内に離れた位置に形成されており、第２の穴１３に挿入されたＬＣコネクタプラグ用アタッチメント４とＳＣコネクタプラグ９の挿入方向の位置を規定する。
【００５０】
ＬＣコネクタプラグ用アタッチメント４は、第２の穴１３の奥に向けて進む過程で筒状部３６の先端がストッパー７６に当接することでそれより奥へ進むことができなくなる（図１２参照）。
ＬＣコネクタプラグ用アタッチメント４がストッパー７６に当接することによって、ＬＣコネクタプラグ用アタッチメント４がアタッチメント本体２に対して長手方向（前後方向）の所定の位置に位置決めされる。この所定の位置とは、ＬＣコネクタプラグ用アタッチメント４に装着されたＬＣコネクタプラグ８のフェルール３２の先端面が清掃に適した押圧力で清掃布１５に押しつけられるような位置である。
【００５１】
ＳＣコネクタプラグ９は、第２の穴１３の奥に向けて進む過程でハウジングの先端がストッパー７６に当接することによって、それより奥へ進むことができなくなる（図１５参照）。ＳＣコネクタプラグ９がストッパー７６に当接することによって、ＳＣコネクタプラグ９がアタッチメント本体２に対して長手方向（前後方向）の所定の位置に位置決めされる。この所定の位置とは、ＳＣコネクタプラグ９のフェルール６１の先端面が清掃に適した押圧力で清掃布１５に押しつけられるような位置である。
【００５２】
＜清掃手順の説明＞
次に、上述したように構成された光コネクタ清掃具用アタッチメント１を使用して光コネクタプラグ６を清掃する手順を説明する。
アタッチメント１は、予め第１の穴１２に清掃具５の清掃部１１を嵌合させて清掃具５に取り付けておく。
【００５３】
ＭＰＯコネクタプラグ７の清掃を行うためには、先ず、ハウジング２４の先端部をアタッチメント本体２の第２の穴１３に挿入し、凹溝２５をアタッチメント本体２の凸部７２に嵌合させる。この挿入操作は、ＭＰＯコネクタプラグ７が上下方向において正立の状態の他に、倒立の状態であっても行うことができる。そして、図７〜図１０および図１７に示すように、ハウジング２４の段部２６がアタッチメント本体２に当接するまでＭＰＯコネクタプラグ７をアタッチメント本体２内に押し込む。
【００５４】
このようにＭＰＯコネクタプラグ７がアタッチメント本体２に接続されることによって、図９に示すように、フェルール２１の先端面２１ａが清掃布１５に対接するとともに、所定の押圧力で押し付けられる。この状態でＭＰＯコネクタプラグ７に対して清掃具５を押し付け、清掃具５の清掃部１１が筐体１４の中に挿入されることによって、清掃布１５がフェルール２１の先端面２１ａに接触した状態で移動し、フェルール２１の先端面２１ａが清掃される。
【００５５】
ＬＣコネクタプラグ８の清掃を行うためには、先ず、ＬＣコネクタプラグ用アタッチメント４の筒状部３６をアタッチメント本体２の第２の穴１３に嵌合させてＬＣコネクタプラグ用アタッチメント４をアタッチメント本体２に取り付ける。そして、ＬＣコネクタプラグ用アタッチメント４の差し込み口４１にＬＣコネクタプラグ８のハウジング３１を嵌合させ、図１１〜図１３および図１８に示すように、ハウジング３１の先端がＬＣコネクタプラグ用アタッチメント４の底壁４７の内面に当接するまでＬＣコネクタプラグ８をアタッチメント４内に押し込む。
【００５６】
このようにＬＣコネクタプラグ８がＬＣコネクタプラグ用アタッチメント４に接続されることによって、図１２に示すように、フェルール３２の先端面が清掃布１５に対接するとともに、所定の押圧力で押し付けられる。この状態でＬＣコネクタプラグ８に対して清掃具５を押し付けることによって、清掃布１５がフェルール３２の先端面に接触した状態で移動し、フェルール３２の先端面が清掃される。
【００５７】
ＳＣコネクタプラグ９の清掃を行うためには、先ず、ＳＣコネクタプラグ９をアタッチメント本体２の第２の穴１３に挿入し、ハウジング５１を第２の穴１３に嵌合させる。そして、図１４〜図１６および図１９に示すように、ハウジング５１の先端がアタッチメントのストッパー７６に当接するまでＳＣコネクタプラグ９をアタッチメント本体２内に押し込む。このようにＳＣコネクタプラグ９がアタッチメント本体２に接続されることによって、図１５に示すように、フェルール６１の先端面が清掃布１５に対接するとともに、所定の押圧力で押し付けられる。この状態でＳＣコネクタプラグ９に対して清掃具５を押し付けることによって、清掃布１５がフェルール６１の先端面に接触した状態で移動し、フェルール６１の先端面が清掃される。
【００５８】
＜実施の形態による効果の説明＞
この実施の形態によるアタッチメント１においては、アタッチメント本体２からＬＣコネクタプラグ用アタッチメント４が外されている状態でアタッチメント本体２の第２の穴１３にＭＰＯコネクタプラグ７を接続することにより、ＭＰＯコネクタプラグ７の被清掃部を光コネクタ清掃具５の清掃布１５によって清掃することができる。一方、アタッチメント本体２の第２の穴１３にＬＣコネクタプラグ用アタッチメント４を取付けた状態においては、ＬＣコネクタプラグ用アタッチメント４にＬＣコネクタプラグ８を接続することにより、ＬＣコネクタプラグ８の被清掃部を光コネクタ清掃具５の清掃布１５によって清掃することができる。
したがって、この実施の形態によれば、ＭＰＯコネクタプラグ７とＬＣコネクタプラグ８とを接続することが可能な光コネクタ清掃用アタッチメントを提供することができる。
【００５９】
この実施の形態によるアタッチメント本体２の第２の穴１３には、ＭＰＯコネクタプラグ７の凹溝２５と嵌合し、ＭＰＯコネクタプラグ７を挿入方向とは直交する２方向に位置決めする一対の凸部７２が設けられている。また、第２の穴１３には、ＬＣコネクタプラグ用アタッチメント４の筒状部３６が嵌合し、ＬＣコネクタプラグ用アタッチメント４を挿入方向とは直交する２方向に位置決めする隅部７３が設けられている。
【００６０】
このため、ＭＰＯコネクタプラグ７およびＬＣコネクタプラグ８と清掃布１５との位置関係をアタッチメント１によって調整し、これら両者のフェルール２１，３２の先端面の位置を清掃布１５と対接する位置に位置付けることができる。この結果、この実施の形態によれば、フェルールの先端面の形状が全く異なる２種類の光コネクタプラグ６（ＭＰＯコネクタプラグ７とＬＣコネクタプラグ８）を一つのアタッチメント１を用いて清掃することができる。
【００６１】
この実施の形態によるアタッチメント本体２の第２の穴１３は、ＬＣコネクタプラグ用アタッチメント４の筒状部３６と、ＳＣコネクタプラグ９のハウジング５１の先端部とのどちらでも嵌合可能に形成されているとともに、ＳＣコネクタプラグ９を挿入方向とは直交する２方向に位置決めする形状に形成されている。このため、アタッチメント本体２からＬＣコネクタプラグ用アタッチメント４が取り外されている状態において、アタッチメント本体２の第２の穴１３にＳＣコネクタプラグ９を接続することにより、ＳＣコネクタプラグ９の被清掃部を光コネクタ清掃具５の清掃布１５によって清掃することができる。
したがって、１つのアタッチメント１でＭＰＯコネクタプラグ７と、ＬＣコネクタプラグ８と、ＳＣコネクタプラグ９との清掃を行うことができるから、これら３種類の光コネクタプラグ６を能率よく清掃することができる。
【００６２】
この実施の形態による光コネクタ清掃具５の清掃布１５は、ＭＰＯコネクタプラグ７の被清掃部に接触した状態で、ＭＰＯコネクタプラグ７の長手方向およびアタッチメント本体２の一対の凸部７２が並ぶ方向とは直交する方向に移動する。アタッチメント本体２の凸部７２は、ＭＰＯコネクタプラグ７の凹溝２５に嵌合する突条によって形成されているとともに、第２の穴１３の奥側に位置する前端７２ａが第２の穴１３の開口側に位置する後端７２ｂより清掃布１５の移動方向の上流側に位置するように傾斜している。
【００６３】
このため、この実施の形態を採ることにより、ＭＰＯコネクタプラグ７をアタッチメント１に接続するときに従来の正立状態とは上下方向に反転した倒立状態でも接続することが可能なる。したがって、この実施の形態によれば、３種類の光コネクタプラグ６（ＭＰＯコネクタプラグ７と、ＬＣコネクタプラグ８と、ＳＣコネクタプラグ９）とが接続できるだけでなく、ＭＰＯコネクタプラグ７を接続するときの姿勢の自由度が高くなる光コネクタ清掃具用アタッチメントを提供することができる。
【符号の説明】
【００６４】
１…光コネクタ清掃具用アタッチメント、２…アタッチメント本体、３…連結片、４…ＬＣコネクタプラグ用アタッチメント、５…光コネクタ清掃具、６…光コネクタプラグ、７…ＭＰＯコネクタプラグ、８…ＬＣコネクタプラグ、９…ＳＣコネクタプラグ、１１…清掃部、１２…第１の穴、１３…第２の穴、１５…清掃布、２５…凹溝、３１，５１…ハウジング（角筒状の外壁）、３６…筒状部、４４，４５…ガイド溝、４６…内壁、７２…凸部、７３…隅部
【図１】
2019028209.tif 000003
【図２】
2019028209.tif 000004
【図３】
2019028209.tif 000005
【図４】
2019028209.tif 000006
【図５】
2019028209.tif 000007
【図６】
2019028209.tif 000008
【図７】
2019028209.tif 000009
【図８】
2019028209.tif 000010
【図９】
2019028209.tif 000011
【図１０】
2019028209.tif 000012
【図１１】
2019028209.tif 000013
【図１２】
2019028209.tif 000014
【図１３】
2019028209.tif 000015
【図１４】
2019028209.tif 000016
【図１５】
2019028209.tif 000017
【図１６】
2019028209.tif 000018
【図１７】
2019028209.tif 000019
【図１８】
2019028209.tif 000020
【図１９】
2019028209.tif 000021
【図２０】
2019028209.tif 000022
【図２１】
2019028209.tif 000023
【図２２】
2019028209.tif 000024
【図２３】
2019028209.tif 000025
【図２４】
2019028209.tif 000026
【図２５】
2019028209.tif 000027
【図２６】
2019028209.tif 000028
【図２７】
2019028209.tif 000029
【図２８】
2019028209.tif 000030
【図２９】
2019028209.tif 000031
【図３０】
2019028209.tif 000032
【図３１】
2019028209.tif 000033
【図３２】
2019028209.tif 000034